(57)【特許請求の範囲】
【請求項１】
木材を有する多孔質の基材に、少なくとも前記多孔質の基材の表面に一部が露出し、かつ、前記多孔質の基材の内部で前記多孔質の基材に結合するゴム材が、含浸されているペン先部材を含む、
ことを特徴とする入力ペン。
【請求項２】
前記多孔質の基材は、前記入力ペンを接触対象物に接触させて往復摺動させた場合に、前記ペン先部材が所定の曲げ強度を有するように、構成されていることを特徴とする請求項１に記載の入力ペン。
【請求項３】
前記ゴム材は、前記入力ペンを接触対象物に接触させて往復摺動させた場合に、前記ペン先部材が所定の柔軟性及び摩擦性を有するように、構成されていることを特徴とする請求項１又は２に記載の入力ペン。
【請求項４】
前記ゴム材は、前記多孔質の基材の空孔部において小胞を形成し、前記ゴム材が前記多孔質の基材に囲まれていることにより、前記ゴム材と前記多孔質の基材とが結合していることを特徴とする請求項１乃至３のいずれかに記載の入力ペン。
【請求項５】
前記ゴム材の前記小胞は、前記ペン先部材の先端部分の表面において一部が露出していることを特徴とする請求項４に記載の入力ペン。
【請求項６】
前記ペン先部材の前記先端部分は、所定の丸みの半球状又は凸形状を有していることを特徴とする請求項５に記載の入力ペン。
【請求項７】
前記ゴム材は、天然ゴムを含むことを特徴とする請求項１乃至６のいずれかに記載の入力ペン。
【請求項８】
前記ゴム材は、ニトリルゴム又はブタジエンゴムを含む有機系合成ゴムからなることを特徴とする請求項１乃至６のいずれかに記載の入力ペン。
【請求項９】
前記ゴム材は、シリコンゴム又はフッ素ゴムを含む非有機系合成ゴムからなることを特徴とする請求項１乃至６のいずれかに記載の入力ペン。
【請求項１０】
前記ペン先部材は、ペン本体の端部に取り付け固定されていることを特徴とする請求項１乃至９のいずれかに記載の入力ペン。
【発明の詳細な説明】
【技術分野】
【０００１】
本発明は、入力ペンに関し、特に、タッチパネルを備えた電子機器への入力操作に適用される入力ペンに関する。
【背景技術】
【０００２】
近年、スマートフォン（高機能携帯電話機）やタブレット型の情報端末等、いわゆるタッチパネルを備えた電子機器が急速に普及している。タッチパネルは、液晶や有機ＥＬ等の表示装置と、その前面（視野側）に配置された、又は、表示装置と一体的に形成されたタッチセンサと、を有する入力装置であり、ユーザが表示装置に表示された文字情報や画像を認識して、任意の表示領域にスタイラスペンや指を接触させることにより、所望の入力操作を行うことができるものである。
【０００３】
このようなスタイラスペンや指（人体）等を接触させて入力操作を行う入力装置（タッチパネル型、ペン入力型を含む）は、従来から種々の製品に適用されている。例えばデスクトップ型やノート型のパーソナルコンピュータの周辺機器として使用されるペンタブレットや携帯ゲーム機、カーナビゲーションシステム、携帯情報端末（ＰＤＡ）、金融機関の現金自動預け払い機（ＡＴＭ）、自動券売機等に利用されており、その製品分野は多岐にわたっている。
【０００４】
ここで、タッチパネル（タッチセンサ）には、種々の方式が知られている。例えば、近年急速に普及しているスマートフォンやタブレット型の情報端末等においては、静電容量方式のタッチパネルが主に採用されている。静電容量方式においては、指先（又は指と同等の導電性物質）でタッチパネルに触れることにより、指先（又は指と同等の導電性物質）とタッチパネル側の導電膜との間で生じる静電容量の変化を検出することにより、位置情報が検出される。
【０００５】
また、例えば、一部のスマートフォンやタブレット型の情報端末、カーナビゲーションシステム、携帯情報端末等に、最も多用されてきた抵抗膜方式のタッチパネルにおいては、指先やスタイラスペン等でタッチパネルに触れることにより対向する２枚の抵抗膜が導通し、このときの抵抗膜の抵抗の分圧比を測定することにより、位置情報が検出される。
【０００６】
また、例えば、パーソナルコンピュータの周辺機器として使用されるペンタブレットや、当該機能を備えたモニタ等においては、電磁誘導方式のタッチパネルが採用されている。電磁誘導方式においては、磁界を発生する電子ペンでタッチパネル（入力パッドやモニタ）に触れることによりタッチパネル側でその電磁エネルギーを検出することにより、位置情報が検出される。
【０００７】
上述したように、タッチパネルは、表示装置の前面にタッチセンサが配置された構造、又は、表示装置にタッチセンサが一体的に形成された構造を有している。そのため、表示装置における表示画質を向上させることを目的として、また、スタイラスペンや指等の接触による物理的な圧力やキズ等からタッチパネルを保護することを目的として、一般に、その表層にはガラスや透明アクリル等の透明硬質材料からなる平板が用いられている。
【０００８】
一方、タッチパネルへの入力操作に用いられるスタイラスペンや電子ペン（以下、入力ペンと総称する）においても、一般的に、そのペン先には樹脂材料等が用いられ、タッチパネルの表層と同様に硬質体で構成されている。なお、一部の入力ペンにおいては、そのペン先にゴム製のチップ（キャップ）を取り付けたものや、圧縮フェルト等の軟質材料を適用したものも知られている。このような入力ペンについては、例えば特許文献１に詳しく開示されている。
【先行技術文献】
【特許文献】
【０００９】
【特許文献１】特開平１１−２３２０２２号公報
【発明の概要】
【発明が解決しようとする課題】
【００１０】
上述したように、タッチパネルの表面及び入力ペンのペン先のいずれもが硬質体であると、入力ペンを使用して入力操作を行う際の感触が非常に堅く、かつ、ペン先が非常に滑りやすくなるため、細かい文字や細かい線画等を思い通りに手書き入力することが極めて困難になるという問題を有していた。
【００１１】
このような問題を改善する方法として、上述したように、ペン先にゴム製のチップ（キャップ）を取り付けることが考えられるが、ゴム材は弾性が高いため、入力操作時の繰り返しにより変形や座屈が発生しやすく、製品寿命が短く、利便性が高いものとは言えなかった。また、他の手法として、ペン先に圧縮フェルトを適用することが考えられるが、圧縮フェルトは摩耗性が高いため、この場合においても、製品寿命が短く、利便性が高いものとは言えなかった。
【００１２】
そこで、本発明は、上述した問題点に鑑み、タッチパネルへの入力操作の際に、書き味が軟らかく、かつ、ペン先を滑りにくくして、細かい文字や細かい線画等を良好に手書き入力することができる入力ペンを提供することを目的とする。
【課題を解決するための手段】
【００１３】
前記目的を果たすため、本発明の入力ペンの一態様は、木材を有する多孔質の基材に、少なくとも前記多孔質の基材の表面に一部が露出し、かつ、前記多孔質の基材の内部で前記多孔質の基材に結合するゴム材が、含浸されているペン先部材を含む、ことを特徴とする。
【発明の効果】
【００１４】
本発明によれば、タッチパネルへの入力操作の際に、書き味が軟らかく、かつ、ペン先を滑りにくくして、細かい文字や細かい線画等を良好に手書き入力することができる。
【図面の簡単な説明】
【００１５】
【図１】本発明に係る入力ペンの第１の実施形態を示す概略構成図である。
【図２】第１の実施形態に係る入力ペンのペン先を示す概略構成図である。
【図３】第２の実施形態に係る入力ペンのペン先を示す概略構成図である。
【図４】本発明に係る入力ペンを適用した電子機器の構成例を示す概略図である。
【発明を実施するための形態】
【００１６】
以下、本発明に係る入力ペンについて、実施形態を示して詳しく説明する。
＜第１の実施形態＞
図１は、本発明に係る入力ペンの第１の実施形態を示す概略構成図である。ここで、図１（ａ）は、本実施形態に係る入力ペンの全体構成を示す斜視図であり、図１（ｂ）は、図１（ａ）に示すＩＢ部（本明細書においては図中に示したローマ数字の「１」に対応する記号として便宜的に「Ｉ」を用いる）における詳細構造を示す斜視図である。また、図２は、本実施形態に係る入力ペンのペン先を示す概略構成図である。ここで、図２（ａ）は、本実施形態に係る入力ペンのペン先を示す図であり、図２（ｂ）は、図２（ａ）に示すIIＢ部（本明細書においては図中に示したローマ数字の「２」に対応する記号として便宜的に「II」を用いる）における詳細構造を示す断面図である。
【００１７】
第１の実施形態に係る入力ペン１は、例えば図１（ａ）、（ｂ）に示すように、ペン本体１０と、ペン先部材２０と、を有している。
ペン本体１０は、例えば棒状や角柱状、円柱状等の、特定の方向に直線状に延在する部材を有している。また、ペン本体１０の延在方向の少なくとも一方の端部には、ペン先部材２０を着脱可能に固定するための、取り付け固定部１１が設けられている。取り付け固定部１１は、概ね、ペン本体１０の端部に設けられたガイド溝１２と、ペン先部材２０をペン本体１０に固定するための固定部材１３と、を有している。
【００１８】
ガイド溝１２は、ペン本体１０の延在方向に沿って、ペン先部材２０を所定の位置に取り付けるための直線状の溝部であって、略円柱形状を有するペン先部材２０の側面が係合するように、その内面が曲面を有している。また、固定部材１３は、ガイド溝１２に側面が係合するように取り付けられたペン先部材２０を、ペン本体１０に固定するための部材であって、ペン本体１０へのペン先部材２０の取り付け状態を調整可能なように構成されている。この取り付け固定部１１により、ペン先部材２０の先端部分（すなわち、タッチパネルとの接触部分）２１の、ペン本体１０からの突出寸法が調整されるとともに、当該ペン先部材２０がペン本体１０に強固に固定される。
【００１９】
ペン先部材２０は、略円柱形状を有する基材２２からなり、少なくともタッチパネルとの接触部分である、基材２２の一方の先端部分２１が所定の丸みの半球状、又は、凸形状を有している。ペン先部材２０を構成する基材２２は、多孔質の剛体であって、少なくとも、入力ペン１によるタッチパネルへの入力操作の際に、変形や座屈を生じない十分な曲げ強度を有する部材が適用される。具体的には、基材２２は、後述するゴム材質を有する樹脂材料を含浸処理した際に、基材２２の空孔部に当該樹脂材料が良好に浸透して結合する部材で構成される。例えば木材や発泡樹脂、又は、これらと同等又は類似する特性を有する部材を良好に適用することができる。
【００２０】
また、ペン先部材２０の先端部分２１には、少なくともその半球状の表面に樹脂材料の一部が露出、又は、付着、被覆するように形成されている。具体的には、本実施形態においては、図２（ｂ）に示すように、ペン先部材２０の、少なくとも先端部分２１に、ゴム材質の材料が含浸処理された構成を有している。すなわち、ペン先部材２０の先端部分２１を構成する多孔質の基材２２に、比較的粘度の低い液体状のゴム材質の材料２３を浸透させて結合させることにより、当該材料２３が先端部分２１の基材２２と一体化するとともに、先端部分２１の表面にその一部が露出した構成が得られる。このとき、図２（ｂ）に示すように、多孔質の基材２２に含浸された材料（含浸材料）２３は、基材２２の空孔部において小胞を形成し、しかも当該含浸材料２３が基材２２に囲まれていることにより、含浸材料２３と基材２２とが高い接合強度で結合する。また、この含浸材料２３の小胞は、ペン先部材２０の先端部分２１の表面において、その一部が露出している。
【００２１】
ここで、本実施形態においては、上記のゴム材質の材料（含浸材料）として、例えば、一般的な天然ゴムや、有機系合成ゴム（ニトリルゴム（ＮＢＲ）、ブタジエンゴム（ＢＲ）等）、非有機系合成ゴム（シリコンゴム、フッ素ゴム等）等を適用することができる。また、本実施形態においては、上記のゴム材料の他に、これらのゴム材料と同等又は類似の特性を有するエラストマー材料等の樹脂材料を適用することもできる。なお、このような多孔質の基材にゴム材質の材料を含浸する処理は、例えば汎用の真空含浸装置を用いて容易に実現することができる。
【００２２】
（作用効果の検証）
次いで、上述した本実施形態に係る入力ペンにおける作用効果について具体的に検証する。
【００２３】
まず、入力ペンを用いてタッチパネルに入力操作を行う際には、ある程度の摩擦感（ペン先の滑りにくさ）と、ある程度の柔軟性（書き味の軟らかさ）と、を持っていることが望ましい。すなわち、例えば紙にペンで文字や線画等を書いているときの感覚と同等又は類似していることが望ましい。このような、紙にペンで文字や線画等を書いているときの摩擦感や柔軟性は、「紙」という柔軟性を有する素材であること、かつ、複雑に繊維が配置されていることから発生する感触であり、いわゆる書き味に相当するものである。
【００２４】
このような感触（書き味）を、入力ペンを用いてタッチパネルに入力操作を行う際にも再現する方法としては、例えばタッチパネル表面に特殊な表面処理を行い、当該表面に柔軟性を持たせつつ、表面の面粗さを粗くすることが考えられる。しかしながら、このような手法によって入力操作時の感触を改善した場合、当該表面処理によりタッチパネルにおける透過率が低下してしまい、タッチパネルを透過して視認される表示の画質が損なわれてしまうという問題を有している。
【００２５】
また、入力ペンを用いてタッチパネルに入力操作を行う際に、紙にペンで文字や線画等を書いているときの摩擦感や柔軟性等の感触を再現する他の方法としては、例えば入力ペンのペン先部分全体にゴム材料を適用したり、ペン先部分にゴム製のキャップを取り付けることが考えられる。しかしながら、ゴム材料は弾性体であるため、入力操作の繰り返しによる反復応力に対して変形や座屈が発生し、さらには亀裂の発生を経て折損してしまうという問題を有している。ここで、ペン先部分の座屈や亀裂の発生を抑えるために、ペン先部分の剛性を増していくと、入力操作時の摩擦感が低下するという別の問題が生じる。
【００２６】
また、上記の感触を再現するさらに他の方法としては、例えば入力ペンのペン先部分に硬質圧縮フェルト等の材料を適用することも考えられる。この硬質圧縮フェルトは、硬質体でありながらも、タッチパネルへの入力操作の際に、若干の柔軟性や摩擦感を再現することができるが、タッチパネルに所定の圧力で接触させて往復摺動させた場合の耐久性や耐摩耗性に劣っており、製品寿命が短く利便性が低いという問題を有している。
【００２７】
これに対して、本実施形態においては、タッチパネルの表面状態、材質等を変えることなく、上述したように、入力ペン１のペン先部材２０の先端部分２１を、多孔質の剛体からなる基材２２にゴム材質を有する樹脂材料を含浸処理し、当該先端部分２１の表面にその一部が露出するように形成した構成を有している。これにより、上記のような問題を解決して、タッチパネルへの入力操作の際に、書き味が軟らかく、かつ、ペン先を滑りにくくして、紙にペンで文字や線画等を書いているときと同等又は類似する感触を実現することができる。したがって、入力ペンを用いてタッチパネルに、細かい文字や細かい線画等を良好に手書き入力することができる。
【００２８】
すなわち、本実施形態は、タッチパネルを備えた電子機器が、タッチパネルの表層にガラスや透明アクリル等の透明硬質体を使用した構成を有する場合であっても、入力ペンを用いた入力操作の際に、良好な書き味（柔軟性や摩擦感等の感触）を実現しつつ、表示画面の透過率等を確保して表示画質の劣化を抑制することができる。
【００２９】
また、本実施形態によれば、多孔質の剛体からなるペン先部材２０の先端部分２１にゴム材質の樹脂材料が含浸され、当該先端部分２１の表面にその一部が露出するように形成されている。これにより、ペン先部分全体をゴム材料により形成した場合に比較して、入力ペン１とタッチパネルとが接触する界面でのみゴム材質の柔軟性や摩擦性を確保しつつ、ペン先部材２０及びその先端部分２１の剛性（曲げ強度）を確保することができる。したがって、入力ペンを用いた入力操作の際に、ペン先をタッチパネルに所定の圧力（筆圧）で接触させて往復摺動した場合であっても、ペン先の座屈、変形、折損、亀裂等の発生を回避しつつ、良好な書き味を実現することができる。
【００３０】
さらに、本実施形態においては、ペン先部材２０を構成する基材２２として、例えば木材や発泡樹脂等の多孔質の剛体を適用し、少なくともその先端部分２１にゴム材質を有する樹脂材料が含浸処理された構成を有している。ここで、本実施形態の比較対象として、ペン先部材の基材として例えば金属等の非多孔質であって、かつ、剛性の高い剛体を適用し、当該基材の表面にゴム材質の材料を貼り付けや、インサート成形、コーティング等の手法を用いて付着や被覆させた構成（便宜的にゴム被膜と記す）について検証する。このような比較対象の構成においては、ペン先部材を構成する非多孔質かつ高剛性の剛体と、ゴム被膜との界面における結合性が低く、かつ、それぞれの材質の剛性の差が大きいため、ペン先をタッチパネルに所定の筆圧で接触させて往復摺動した場合、剛体とゴム被膜との境界面（接合面）における剥離が発生しやすいという問題を有している。
【００３１】
本実施形態においては、上記の構成を有することにより、ペン先部材２０を構成する多孔質の基材２２が、上記金属等に比較して、含浸材料２３によるゴム材質に近い剛性を有している。すなわち、それぞれの材質の剛性の差が相対的に小さく設定されている。また、この基材２２にゴム材質の含浸材料２３が浸透して高い接合強度で結合している。そして、このような基材２２の表面にその一部が露出している。したがって、本実施形態によれば、ペン先をタッチパネルに所定の筆圧で接触させて往復摺動した場合であっても、ペン先の剥離等の発生を回避しつつ、良好な書き味を実現することができる。
【００３２】
なお、本実施形態においては、多孔質の剛体からなるペン先部材２０の少なくとも先端部分２１に、真空含浸装置を用いて樹脂材料（ゴム材料）を含浸処理する手法について説明した。本発明はこれに限定されるものではなく、樹脂材料が多孔質の剛体からなるペン先部材２０に強固に結合し、かつ、ペン先部材２０の先端部分２１の表面に当該樹脂材料の一部が露出、又は、付着、被覆するように形成されているものであればよい。したがって、例えば、樹脂材料（ゴム材料）を溶剤等で溶融して、木質と同等又は類似する多孔質の基材２２にコーティング（表面被覆処理）する手法や、液状の樹脂材料（ゴム材料）を多孔質の基材２２にインサートして射出成形する手法等、種々の製造方法を適用することができる。これらの手法によっても、上述した実施形態と同等の作用効果が得られる。
【００３３】
＜第２の実施形態＞
次に、本発明に係る入力ペンの第２の実施形態について説明する。
図３は、第２の実施形態に係る入力ペンのペン先を示す概略構成図である。ここで、図３（ａ）は、本実施形態に係る入力ペンのペン先を示す図であり、図３（ｂ）は、図３（ａ）に示すIIIＢ部（本明細書においては図中に示したローマ数字の「３」に対応する記号として便宜的に「III」を用いる）における詳細構造を示す断面図である。
【００３４】
上述した第１の実施形態においては、多孔質のペン先部材２０に樹脂材料（ゴム材料）を含浸させた構成及び製造方法について説明した。第２の実施形態においては、樹脂材料に繊維材料を混練して成形した構成及び製造方法について説明する。
【００３５】
第２の実施形態に係る入力ペンは、上述した第１の実施形態に示した入力ペン１と同様に、ペン本体１０と、ペン先部材２０と、を有し、特に、ペン先部材２０の、少なくとも先端部分２１が、例えば図３（ａ）、（ｂ）に示すように、ガラス繊維や炭素繊維、金属繊維等の繊維材料２４と、ゴム材質の材料（混練材料）２５と、が混練して成形された構成を有している。すなわち、ペン先部材２０の先端部分２１を構成する繊維材料２４に、比較的粘度の低いゴム材質の材料を混練して成形することにより、繊維材料２４とゴム材質の材料とが一体化するとともに、先端部分２１の表面にゴム材質の材料の一部が露出した構成が得られる。このとき、繊維材料２４に混練された材料（混練材料）２５は、繊維材料の繊維間の空間に保持され、しかも当該混練材料２５の周囲の繊維材料に密着することにより、混練材料２５と繊維材料２４とが高い接合強度で結合する。また、この混練材料２５は、ペン先部材２０の先端部分２１の表面において、その一部が露出している。
【００３６】
このような構造も、上述した第１の実施形態と同様に、入力ペンとタッチパネルとが接触する界面でのみゴム材質の柔軟性や摩擦性を確保しつつ、ペン先部材２０及びその先端部分２１の剛性を確保することができる。特に、本実施形態においては、ガラス繊維や炭素繊維、金属繊維等の繊維材料とゴム材質の樹脂材料とを混練して成形することにより、ペン先部材２０の内部に強固な繊維が存在しているので、剛性及び耐屈曲性をより向上させることができる。したがって、第２の実施形態においても、入力ペンを用いた入力操作の際に、ペン先をタッチパネルに所定の圧力（筆圧）で接触させて往復摺動した場合であっても、ペン先の座屈、変形、折損、亀裂等の発生を回避しつつ、良好な書き味（柔軟性や摩擦感）を実現することができる。
【００３７】
（適用例）
図４は、本発明に係る入力ペンを適用した電子機器の構成例を示す概略図である。図４（ａ）は、高機能携帯電話機の構成例を示す斜視図であり、図４（ｂ）は、パーソナルコンピュータの構成例を示す斜視図である。
【００３８】
上述した各実施形態に示した入力ペン１は、図４（ａ）、（ｂ）に示すように、各種の電子機器に良好に適用することができる。
すなわち、図４（ａ）において、スマートフォンや携帯情報端末等の電子機器１１０は、概略、本体部１１１と、抵抗膜方式のタッチパネルを備えた表示部１１２と、入力操作部１１３と、上述した各実施形態に示した入力ペンと同等の構成を有する入力ペン（スタイラスペン）１１４と、を有している。これによれば、入力ペン１１４を用いた表示部１１２への入力操作の際に、ペン先の座屈や変形等を回避しつつ、良好な書き味を実現することができる。
【００３９】
また、図４（ｂ）において、デスクトップ型のパーソナルコンピュータ等の電子機器１２０は、概略、コンピュータ本体部１２１と、表示部１２２と、キーボード１２３と、電磁誘導方式のペンタブレット１２４と、上述した各実施形態に示した入力ペンと同等の構成を有する入力ペン（電子ペン）１２５と、を有している。これによれば、入力ペン１２５を用いたペンタブレット１２４への入力操作の際に、ペン先の座屈や変形等を回避しつつ、良好な書き味を実現することができる。
【００４０】
なお、上述した適用例においては、ペン入力が可能なタッチパネルとして一般的に認識されている、抵抗膜方式又は電磁誘導方式を採用した電子機器について言及したが、本発明はこれに限定されるものではない。すなわち、上述した第１の実施形態に係るペン先部材２０を構成する基材２２及び含浸材料のうちの、少なくともいずれか一方に導電性材料を適用し、かつ、その導電性を人体（指先）と同等程度に設定することにより、一般にペン入力が不可能と認識されている静電誘導方式のタッチパネルを採用した電子機器にも適用することができる。この場合においても、入力操作の際に、入力ペンの書き味が軟らかく、かつ、ペン先を滑りにくくして、所望の入力操作を良好に行うことができる。また、上述した第２の実施形態においても同様に、ペン先部材２０を構成する繊維材料及び混練材料のうちの、少なくともいずれか一方に導電性材料を適用し、かつ、その導電性を人体（指先）と同等程度に設定することにより、静電誘導方式のタッチパネルを採用した電子機器において、所望の入力操作を良好な書き味で行うことができる。
【００４１】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００４２】
（付記）
請求項１に記載の発明は、
多孔質の基材と、
少なくとも前記基材の表面に一部が露出し、かつ、前記基材の内部で前記基材に結合するゴム材質を有する材料と、
を有するペン先部材が、ペン本体の端部に取り付け固定されている、
ことを特徴とする入力ペンである。
【００４３】
請求項２に記載の発明は、
前記多孔質の基材は、前記入力ペンを接触対象物に接触させて往復摺動させた場合に、前記ペン先部材が所定の曲げ強度を有していることを特徴とする請求項１記載の入力ペンである。
【００４４】
請求項３に記載の発明は、
前記ゴム材質を有する材料は、前記入力ペンを接触対象物に接触させて往復摺動させた場合に、前記ペン先部材が所定の柔軟性及び摩擦性を有していることを特徴とする請求項１又は２記載の入力ペンである。
【００４５】
請求項４に記載の発明は、
前記ゴム材質を有する材料は、含浸処理により前記多孔質の基材の内部に浸透する含浸材料であることを特徴とする請求項３記載の入力ペンである。
【００４６】
請求項５に記載の発明は、
前記多孔質の基材は、繊維材料を有し、
前記ペン先部材は、前記繊維材料と前記ゴム材質を有する材料とが混練されて一体的に形成されていることを特徴とする請求項１乃至３のいずれかに記載の入力ペンである。
【００４７】
請求項６に記載の発明は、
前記ゴム材質を有する材料は、天然ゴム、又は、ニトリルゴム、ブタジエンゴムを含む有機系合成ゴム、又は、シリコンゴム、フッ素ゴムを含む非有機系合成ゴムからなることを特徴とする請求項１乃至５のいずれかに記載の入力ペンである。
【符号の説明】
【００４８】
１        入力ペン
１０      ペン本体
１１      取り付け固定部
１２      ガイド溝
１３      固定部材
２０      ペン先部材
２１      先端部分
２２      基材
２３      含浸材料
２４      繊維材料
２５      混練材料
１１０、１２０    電子機器
１１２      表示部
１１４、１２５    入力ペン
１２４      ペンタブレット
【図１】
0005854223.tif 000002
【図２】
0005854223.tif 000003
【図３】
0005854223.tif 000004
【図４】
0005854223.tif 000005